(57)【特許請求の範囲】
【請求項１】
陽極側デバイスと陰極側デバイス間に、パルス脱分極型通電と直流型通電およびパルス型通電の少なくとも一方の通電とを組み合せた通電を繰り返し行うように構成されたことを特徴とする経皮または経粘膜薬物送達用デバイス。
【請求項２】
パルス脱分極型通電と直流型通電の組み合せ通電を行うことを特徴とする請求項１記載の経皮または経粘膜薬物送達用デバイス。
【請求項３】
パルス脱分極型通電とパルス型通電の組み合せ通電を行うことを特徴とする請求項１記載の経皮または経粘膜薬物送達用デバイス。
【請求項４】
パルス脱分極型通電と直流型通電とパルス型通電の組み合せ通電を行うことを特徴とする請求項１記載の経皮または経粘膜薬物送達用デバイス。
【請求項５】
組み合せ通電がパルス脱分極型通電と直流型通電またはパルス型通電の２種類の通電で行われる場合、上記パルス脱分極型通電と直流型通電またはパルス型通電の適用時間の比が１００：１から１：１００であることを特徴とする請求項１乃至４のいずれかに記載の経皮または経粘膜薬物送達用デバイス。
【請求項６】
通電の組み合せ内容は、外部からの設定または内部の記憶情報に基づいて決められることを特徴とする請求項１乃至５のいずれかに記載の経皮または経粘膜薬物送達用デバイス。
【請求項７】
パルス脱分極型通電の適用電流が、０．００１〜１０ｍＡ／ｃｍ２であることを特徴とする請求項１乃至６のいずれかに記載の経皮または経粘膜薬物送達用デバイス。
【請求項８】
パルス脱分極型通電の適用電圧が、０．０１〜５０Ｖであることを特徴とする請求項１乃至７のいずれかに記載の経皮または経粘膜薬物送達用デバイス。
【請求項９】
上記パルス脱分極型通電のパルス周波数が、１００Ｈｚ〜１０００ｋＨｚであることを特徴とする請求項１乃至８のいずれかに記載の経皮または経粘膜薬物送達用デバイス。
【請求項１０】
陽極側デバイスと陰極側デバイス間に、パルス脱分極型通電と直流型通電およびパルス型通電の少なくとも一方の通電とを組み合せた通電を繰り返し行うことを特徴とする通電パターン制御装置。
【請求項１１】
組み合せ通電の切り換えは、マイクロコンピュータにより予めプログラムされた内容に従って行われることを特徴とする請求項１０記載の通電パターン制御装置。
【発明の詳細な説明】
【０００１】
【発明の属する技術分野】
本発明は、イオントフォレーシスを適用して薬物を経皮または経粘膜投与するデバイスに係り、より詳しくは、医療分野においてイオントフォレーシスの原理を用いて、生理活性物質などの薬物を皮膚または口腔、鼻腔などの粘膜を通じて生体内へ送達するためのデバイスに関する。
【０００２】
【従来の技術】
従来、生理活性物質などの薬物の剤型として、注射剤、経口剤、坐剤のほか経皮投与や経粘膜投与を目的とした軟膏剤、貼付剤等が研究、開発されている。経皮や経粘膜投与は、他の投与方法に比べて、投与の簡便さ、薬物の血中濃度の維持、消化管に対する薬物の副作用の回避等の諸利点がある。しかし、一般に薬物の吸収性が悪く、特に高分子量の薬物においては吸収時間、吸収量に問題があった。
皮膚や粘膜からより多くの薬物を吸収させるための吸収促進法については、これまで各種の研究、開発がなされてきているが、これらの手法としては、吸収促進剤を用いる化学的促進法のほか、イオントフォレーシス、フォノフォレーシス、エレクトロポレーション等を使用する物理的促進法がある。このうちイオントフォレーシスは、皮膚または粘膜に対して電圧を印加し、電気的にイオン性薬物を泳動させることにより皮膚または粘膜を経由して体内へ薬物を投与するものである。
イオントフォレーシスの適用される通電方法には、直流型通電、パルス型通電、パルス脱分極型通電があり、このうちパルス脱分極型通電は直流型通電やパルス型通電に比べて薬物透過性に優れていることや、大きな電流を適用しても皮膚や粘膜に与える刺激が少ない利点がある。パルス脱分極型通電については、例えば特開昭６０−１５６４７５号公報に記載されている。
【０００３】
【発明が解決しようとする課題】
パルス脱分極型通電は上述のような利点があることから、イオントフォレーシス用のデバイスに極めて有用である。ところが本発明者らは、この通電方法を適用してデバイスを実用化、特に小型化およびポータブル化しようとしたとき、新たな問題に直面した。それはパルス脱分極型通電が、直流型通電やパルス型通電に比べて消費電力が大きいという点である。これを解決しないとデバイスの小型化およびポータブル化の実現は難しい。
したがって、本発明の目的は、薬物透過性や皮膚刺激性に優れ、かつ消費電力を低減し得る経皮または経粘膜薬物送達用デバイスを提供することにある。
【０００４】
【課題を解決するための手段】
上記目的は、パルス脱分極型通電と直流型通電およびパルス型通電の少なくとも一方の通電とを組み合せた通電を行うように構成された経皮または経粘膜薬物送達用デバイスにより達成される。
この組み合せ通電は、本発明者が実験的に見出したもので、今までパルス脱分極型通電と他の通電との組み合せ通電を試みた者はいない。一般的には、パルス脱分極型通電の一部を削って他の通電を組み合せることは、消費電力は低減できるであろうが、薬物透過性や皮膚刺激性の効果もその分当然低下するものと考えられていた。しかし、本発明者らの実験により、上述の組み合せ通電を用いた場合、薬物透過性や皮膚刺激性の効果を同等またはある程度維持しつつ、消費電力を激減できるということが判明したのである。そして、この組み合せ通電を繰り返し行うことで、より大きな効果を得ることができた。組み合せ通電の内容は、デバイスの外部からの設定または内部の記憶情報に基づいて、決められる。
ここで、直流型通電とは所定の直流を電極間に与えるものであり、パルス型通電とは所定の繰り返しパルスを電極間に与えるものである。パルス脱分極型通電はパルス型通電と同様に所定の繰り返しパルスを電極間に与えるものであるが、パルス型通電とは違いパルスの休止時に残存電荷を強制的に放電させる。これらの通電パターンは、パルス脱分極出力と直流出力およびパルス出力の少なくとも一方の出力とを組み合わせた出力を発生する通電パターン制御装置により与えられる。
【０００５】
【発明の実施の形態】
図１は、本発明の薬物送達用デバイスの構成を示す回路図である。本デバイスは、通電パターン制御装置１を有し、陽極側デバイス５および陰極側デバイス６に接続される。通電パターン制御装置１は、マイクロコンピュータ（マイコン）２、電源３および出力制御回路４を備える。
出力制御回路中、Ｔｒ１ないしＴｒ４はトランジスタ、Ｄ１はダイオード、Ｃ１ないしＣ４はコンデンサ、Ｒ１ないしＲ５は抵抗である。また、ＳＷ１はスライド式の電源スイッチであり、本スイッチをスライドさせることにより電源のオン／オフを行う。
Ｌ１は電源電圧を昇圧するためのコイルであり、マイコン２から信号Ｓ３を発振させることでコイルＬ１に逆起電力を生じさせる。その逆起電力をダイオードＤ１を通してコンデンサＣ１に蓄えることで電源電圧に対し高い電圧を得ることができる。
Ｔｒ１は、負荷に対してコンデンサＣ１に蓄えられた電荷を供給するための出力トランジスタである。Ｔｒ２は、パルス脱分極時、負荷に蓄えられた電荷を回収するための出力トランジスタである。Ｔｒ３は、Ｔｒ１を駆動するためのトランジスタであり、マイコン２の電源電圧に対して出力電圧が高い時に制御信号のレベルコンバーターとして用いられる。
本構成では、パルス脱分極出力、パルス出力および直流出力の切り換え制御をマイクロコンピュータ制御により行うことができる。
パルス脱分極出力は、出力制御信号Ｓ１を任意の周波数で発振させ、出力制御信号Ｓ２を出力制御信号Ｓ１に対して逆相とすることで実現される。例えば、Ｓ１が”Ｈｉｇｈ”の場合、Ｓ２は”Ｌｏｗ”で、出力は”Ｈｉｇｈ”となる。また、Ｓ１が”Ｌｏｗ”の場合、Ｓ２は”Ｈｉｇｈ”で、出力は”Ｌｏｗ”となる。
パルス出力は、出力制御信号Ｓ１を任意の周波数で発振させるとともに出力制御信号Ｓ２を”Ｌｏｗ”に固定することで行われる。
直流出力は、出力制御信号Ｓ１を”Ｈｉｇｈ”に、出力制御信号Ｓ２を”Ｌｏｗ”に固定することで行われる。
本構成では、パルス脱分極出力、パルス出力および直流出力の切り換えをマイクロコンピュータ制御で行ったが、本発明はこれに限定されるものではなく適宜選択される。
出力の切り換えおよび繰り返しは、マイクロコンピュータ制御であれば予めプログラムすることができ、また、外部にスイッチを設けることでユーザーが任意に設定することができる。通電パターン制御装置は、このようにしてイオントフォレーシス用の電極間に各種通電パターンを与えるのである。
【０００６】
本発明で用いる通電パターンは、この３種類のうちの少なくともパルス脱分極型通電を含む２種類以上の組み合わせパターンからなる。これらは下記のような各種態様により実施することができる。
１）パルス脱分極型通電を行った後、直流型通電を行う。
２）パルス脱分極型通電を行った後、パルス型通電を行う。
３）パルス脱分極型通電、直流型通電を行った後、パルス型通電を行う。
４）パルス脱分極型通電、パルス型通電を行った後、直流型通電を行う。
５）直流型通電を行った後、パルス脱分極型通電を行う。
６）直流型通電、パルス型通電を行った後、パルス脱分極型通電を行う。
７）直流型通電、パルス脱分極型通電を行った後、パルス型通電を行う。
８）パルス型通電を行った後、パルス脱分極型通電を行う。
９）パルス型通電、直流型通電を行った後、パルス脱分極型通電を行う。
１０）パルス型通電、パルス脱分極型通電を行った後、直流型通電を行う。
１１）１）から１０）をそれぞれ繰り返し行う。
上記の各種態様の中では、１）または５）の組み合わせにおける繰り返しが
好ましい。
【０００７】
各種の通電方法における通電時間について、パルス脱分極通電の時間は１μ秒〜６０分であり、好ましくは１０μ秒〜１０分である。通電時間が１μ秒未満であると、パルス脱分極通電の効果が十分に得られず、薬物透過性および皮膚刺激性が劣り、６０分を越えると、消費電力の低減が十分にはかれない。
また、パルス脱分極通電と他の通電方法との適用時間の比は、２種類の通電方法の場合、１００：１から１：１００、好ましくは１０：１から１：１０であり、３種類の通電方法の場合、１００：１：１から１：１００：１００、好ましくは１０：１：１から１：１０：１０である。２種類の通電方法の場合、１００：１よりパルス脱分極型通電の比率が高いと、消費電力の低減が十分にはかれず、１：１００よりパルス脱分極型通電の比率が低いと、パルス脱分極通電の効果が十分に得られず、薬物透過性および皮膚刺激性が劣る。３種類の通電方法の場合、１００：１：１よりパルス脱分極型通電の比率が高いと、消費電力の低減が十分にはかれず、１：１００：１００よりパルス脱分極型通電の比率が低いと、パルス脱分極通電の効果が十分に得られず、薬物透過性および皮膚刺激性が劣る。
また、各種の通電方法の組み合わせを繰り返す場含、その繰り返し回数は特に限定されない。
このように本発明においては、上記の通電例により、皮膚や粘膜から薬物を効率的に送達し、かつ消費電力を低減することができる。
また、本発明の通電方法では、エレクトロポレーションのような皮膚の可逆性および不可逆性電気絶縁破壊は起こらないため、皮膚刺激も起こらない。
【０００８】
本発明のパルス脱分極型通電によるイオントフォレーシスにおける適用電流は０.００１〜１０mA／cm2、好ましくは０.０１〜１mA／cm2であり、また、適用電圧は０.０１〜５０Ｖの範囲であり、好ましくは０.１〜３０Ｖ、さらに好ましくは１〜２０Ｖである。適用電流が０.００１mA／cm2または適用電圧が０.０１Ｖ未満であると、薬物透過性が劣り、適用電流が１０mA／cm2または適用電圧が５０Ｖを越えると、皮膚刺激性が劣る。
さらに、パルス脱分極型のパルス周波数は、１００Hz〜１０００kHzの範囲であり、好ましくは１〜５００kHz、さらに好ましくは１０〜１００kHzである。パルス周波数が１００Hz未満であると、通電による刺激感があり、１０００kHzを越えると、消費電力の低減が十分にはかれない。一周期における通電の割合（ｄｕｔｙ）は１０〜９０％、好ましくは３０〜５０％である。ｄｕｔｙが１０％未満であると、薬物透過性が劣り、９０％を越えると、皮膚刺激性が劣る。
また、本発明のパルス型通電によるイオントフォレーシスにおける適用電流は０.００１〜１０mA／cm2程度、好ましくは０.０１〜１mA／cm2であり、また、適用電圧は０.０１〜３０Ｖの範囲であり、好ましくは０.１〜２０Ｖ、さらに好ましくは１〜１０Ｖである。適用電流が０.００１mA／cm2または適用電圧が０.０１Ｖ未満であると、薬物透過性が劣り、適用電流が１０mA／cm2または適用電圧が２０Ｖを越えると、皮膚刺激性が劣る。
【０００９】
さらに、パルス周波数は１００Hz〜１０００kHzの範囲であり、好ましくは１〜５００kHz、さらに好ましくは１０〜１００kHzである。パルス周波数が１００Hz未満であると、通電による刺激感があり、１０００kHzを越えると、皮膚刺激性が劣る。ｄｕｔｙは１０〜９０％、好ましくは３０〜５０％である。ｄｕｔｙが１０％未満であると、薬物透過性が劣り、９０％を越えると、皮膚刺激性が劣る。
また、本発明の直流型通電によるイオントフォレーシスにおける適用電流は０.００１〜１０mA／cm2程度、好ましくは０.０１〜１mA／cm2であり、また、適用電圧は０.０１〜３０Ｖの範囲であり、好ましくは０.１〜２０Ｖ、さらに好ましくは０.１〜１０Ｖである。適用電流が０.００１mA／cm2または適用電圧が０.０１Ｖ未満であると、薬物透過性が劣り、適用電流が１０mA／cm2または適用電圧が２０Ｖを越えると、皮膚刺激性が劣る。
【００１０】
図２は、通電パターン制御装置１に接続された陽極側デバイス５および陰極側デバイス６が皮膚または粘膜７、８に密着した様子を示す図である。陽極側デバイス５は図示しない支持体に電極５１、導電層５２、薬物層５３が積層されて構成され、陰極側デバイス６は図示しない支持体に電極６１、親水性ゲル６２が積層されて構成される。
ここで支持体は、薬物の漏洩を防止するため、少なくとも薬物に対して非透過性の材料が使用される。その材料の例としては、ポリエチレン、ポリプロピレン、ポリエチレンテレフタレート、ポリ塩化ビニル、ポリ塩化ビニリデン、可塑化酢酸ビニルコポリマー、可塑化酢酸ビニル−塩化ビニル共重合体、ポリアミド、セロファン、酢酸セルロース、エチルセルロースその他のプラスチックフィルムまたはシート等が使用される。これらのプラスチックフィルムまたはシートは、適宜アルミ箔でのラミネートやアルミ蒸着やセラミックコートしたものなどを使用しても差し支えない。
【００１１】
電極５１、６１は前記支持体上に積層させる。積層方法としては、塗布法またはその他適宜の手法により行うことができるが、好ましくはプリント印刷により積層される。電極との材料としては、アルミニウムまたはその合金、チタンまたはその合金、鉄またはその合金、炭素等の分極性電極や銀、塩化銀、銅、塩化銅、あるいはこれらをべースとする銀／塩化銀（銀に塩化銀を付着させたものや両者の混合体等）、銅／塩化銀（銅に塩化銀を付着させたものや両者の混合体等）等の非分極性電極の何れも使用することができるが、好ましくは非分極性電極が用いられる。その組み合せの好ましい一例として、陽極側の電極６としては銀や銅をベースとし、陰極側の電極１０としては塩化銀や塩化銅をベースとする電極が挙げられ、さらに好ましくは、陽極側に銀をベースとし、陰極側に塩化銀をベースとする電極が使用される。
【００１２】
導電層５２は電極５１上に積層され、その材料としては、例えば不織布、紙、ガーゼ、脱脂綿、或いはポリエチレン、ポリプロピレン、酢酸ビニル、ナイロン６６、ポリオレフィン、ポリアミド、ポリウレタン等からなる多孔質体や発泡体等、寒天、カラヤガム、ローカストビーンガム、カラギーナン、ジェランガム、タマリンドガム、カードラン、ペクチン、ファーセラン、グアーガム、タラガム、トラガカントガム、キサンタンガム等の天然多糖類またはポリビニルアルコールおよびその部分ケン化物、ポリビニルホルマール、ポリビニルメチルエーテルおよびそのコポリマー、ポリビニルピロリドン、ポリアクリル酸およびそのナトリウム塩、アルギン酸ソーダ、カルボキシメチルセルロース、ヒドロキシプロピルメチルセルロース等の水溶性セルロース誘導体、ポリアクリルアミドおよびポリアクリルアミド誘導体等を必要に応じてエチレングリコール、グリセリン等で柔軟可塑化させた水溶性高分子、およびその架橋ハイドロゲル等が使用される。これらは単独または２種類以上を組み合わせて用いられる。また、必要に応じて電解質、ｐＨ調整剤、安定化剤、増粘剤、湿潤剤、界面活性剤、溶解補助剤、吸収促進剤、防腐剤、イオン交換樹脂等を添加してもよい。
薬物層５３は導電層５２上に積層され、薬物層の基材に対して薬物を含浸、担持させる。その基材としては、例えば不織布、紙、ガーゼ、脱脂綿、或いはポリエチレン、ポリプロピレン、酢酸ビニル、ナイロン６６、ポリオレフィン、ポリアミド、ポリウレタン等からなる多孔質体や発泡体等が使用できる。
【００１３】
本発明のイオントフォレーシス用デバイスに用いられる生理活性物質等の薬物としては、モルヒネ、フェンタニル、ペチジン、コデイン、ブプレノルフィン、ブトルファノール、エプタゾシン、ペンタゾシンなどの中枢性鎮痛薬や、インスリン、カルシトニン、カルシトニン関連遺伝子ペプチド、バソプレッシン、デスモプレシン、プロチレリン（ＴＲＨ）、副腎皮質刺激ホルモン（ＡＣＴＨ）、黄体形成ホルモン放出因子（ＬＨ−ＲＨ）、成長ホルモン放出ホルモン（ＧＲＨ）、神経成長因子（ＮＧＦ）およびその他の放出因子、アンジオテンシン、副甲状腺ホルモン（ＰＴＨ）、甲状腺刺激ホルモン（ＴＳＨ、サイロトロピン）、卵胞刺激ホルモン（ＦＳＨ）、黄体形成ホルモン（ＬＨ）、プロラクチン、血清性性腺刺激ホルモン、胎盤性性腺刺激ホルモン（ＨＣＧ）、成長ホルモン、ソマトスタチン、ソマトメジン、グルカゴン、オキシトシン、ガストリン、セクレチン、エンドルフィン、エンケファリン、エンドセリン、コレストキニン、ニュウロテンシン、インターフェロン、インターロイキン、トランスフェリン、エリスロポエチン、スーパーオキサイドディスムターゼ（ＳＯＤ）、顆粒球刺激因子（Ｇ‐ＣＳＦ）、バソアクティブインテスティナルポリペプチド（ＶＩＰ）、ムラミルジペプチド、コルチコトロピン、ウロガストロン、ｈ‐ＡＮＰ等のペプチド類、カルマバゼピン、クロルプロマジン、ジアゼパム、ニトラゼパム等の精神安定剤、プレオマイシン、アドレアマイシン、５−フルオロウラシル、マイトマイシン等の抗悪性腫瘍薬、ジギタリス、ジゴキシン、ジギトキシン等の強心剤、エストラジオール、テストステロン等の性ホルモン、レセルピン、クロニジン等の血圧降下剤、塩酸リドカイン、塩酸テトラカイン、塩酸プロカイン、塩酸ジブカイン等の局所麻酔剤、コハク酸ヒドロコルチゾンナトリウム、リン酸ヒドロコルチゾンナトリウム、コハク酸プレドニゾロンナトリウム、リン酸ベタメタゾンナトリウム、リン酸デキサメタゾンナトリウム等のステロイド剤等を挙げることができるが、これらに限定されるものではない。
【００１４】
親水性ゲル６２は電極６１上に積層され、その材料としては、例えば寒天、カラヤガム、ローカストビーンガム、カラギーナン、ジェランガム、タマリンドガム、カードラン、ペクチン、ファーセラン、グアーガム、タラガム、トラガカントガム、キサンタンガム等の天然多糖類またはポリビニルアルコールおよびその部分ケン化物、ポリビニルホルマール、ポリビニルメチルエーテルおよびそのコポリマー、ポリビニルピロリドン、ポリアクリル酸およびそのナトリウム塩、アルギン酸ソーダ、カルボキシメチルセルロース、ヒドロキシプロピルメチルセルロース等の水溶性セルロース誘導体、ポリアクリルアミドおよびポリアクリルアミド誘導体等を必要に応じてエチレングリコール、グリセリン等で柔軟可塑化させた水溶性高分子、およびその架橋ハイドロゲル等が使用される。
【００１５】
【実施例】
以下、実施例により本発明をさらに詳しく説明するが、本発明はこれに限定されるものではない。
実験例１
イヌを用いた透過実験を行った。本実験ではビーグル犬の口腔粘膜にサーモンカルシトニンを投与し、通電開始前および通電開始後所定の時間に前脚静脈から採血し、遠心分離後血清を分取し、ラジオイムノアッセイ（ＲＩＡ）法にて血清中のサーモンカルシトニン濃度を測定した。
サーモンカルシトニンの投与の仕方は前述の図２に示すとおりである。本実験例の陽極側デバイス５は、銀電極、導電層およびサーモンカルシトニンを含む薬物層の積層体からなっており、絶縁体でできた鉗子によってビーグル犬の口腔粘膜に圧着されている。一方陰極側デバイス６は、銀／塩化銀電極および親水性ゲルの積層体からなっており、絶縁体でできた鉗子によってビーグル犬の耳内側の皮膚に圧着されている。陽極側デバイス５の口腔粘膜との接触面積および陰極側デバイス６の皮膚との接触面積はいずれも２.５cm2とした。
通電パターン制御装置１による通電は電流量を一定にコントロールしながら行い、そのときの印加電圧から、消費電力を求めた。パルス脱分極通電の場合、皮膚を実際に通った電流（透過電流）をコントロールし、皮膚に印加された電流（印加電流）と印加電圧から消費電力を求めた。
通電終了後、直ちにデバイスを除去し、口腔粘膜および皮膚の一次刺激を観察し、表１に示した判定表に基づいて判定を行った。
【００１６】
【表１】
0004079481.tif 000002
【００１７】
実施例１
（パルス脱分極型通電と直流型通電の組み合せ）
本実施例１では、サーモンカルシトニン２００μｇを蒸留水に溶解させ陽極側デバイス５中の薬物層に注入した後、陽極側デバイス５を口腔粘膜に圧着し、陰極側デバイス９を皮膚に圧着して通電を開始した。通電方法としては、パルス脱分極型通電と直流型通電の組み合わせを用い、パルス脱分極型通電によって０.２mAで５分間通電した後、直流型通電によって０.２mAで１０分間通電し、これを３回繰り返し行った。パルス脱分極型通電の際の周波数は３０kHz、Ｄｕｔｙは３０％とした。
【００１８】
実施例２
（パルス脱分極型通電とパルス型通電の組み合せ）
本実施例２においては、実施例１と同様にしてデバイスを口腔粘膜および皮膚に圧着し通電を開始した。通電方法としては、パルス脱分極型通電とパルス型通電の組み合わせを用い、パルス脱分極型通電によって０.２mAで５分間通電した後、パルス型通電によって０.２mAで１０分間通電し、これを３回繰り返し行った。パルス脱分極型通電の際の周波数は３０kHz、Ｄｕｔｙは３０％とし、パルス型通電の際の周波数は５０kHz、Ｄｕｔｙは５０％とした。
【００１９】
比較例１
（パルス脱分極型通電）
本比較例１においては、実施例１と同様にしてデバイスを口腔粘膜および皮膚に圧着し通電を開始した。通電方法としては、パルス脱分極型通電のみを用い、０.２mAで６０分間通電した。周波数は３０kHz、Ｄｕｔｙは３０％とした。
【００２０】
比較例２
（直流型通電）
本比較例２においては、実施例１と同様にしてデバイスを口腔粘膜および皮膚に圧着し通電を開始した。通電方法としては、直流型通電のみを用い、０.２mAで６０分間通電した。
【００２１】
（試験結果）
図３は、実施例１、２および比較例１、２のそれぞれについて、血清中のサーモンカルシトニン濃度を測定した結果を示すものである。図３から明らかなように、サーモンカルシトニン濃度は、パルス脱分極型通電と直流型通電の組み合せの場合（実施例１）およびパルス脱分極型通電とパルス型通電の組み合せの場合（実施例２）には、パルス脱分極型通電のみの場合（比較例１）とほぼ同等であり、直流型通電のみの場合（比較例２）と比較するとかなり高い値が得られた。
表２は、消費電力の測定結果を示すものである。
【００２２】
【表２】
0004079481.tif 000003
【００２３】
表２から明らかなように、消費電力は、パルス脱分極型通電と直流型通電の組み合せの場合（実施例１）およびパルス脱分極型通電とパルス型通電の組み合せの場合（実施例２）には、直流型通電のみの場合（比較例２）と比較して多少大きいものの、パルス脱分極型通電のみの場合（比較例１）と比較して激減している。
表３は、粘膜、皮膚の一次刺激の判定結果を示すものである。この判定点数は表１の判定表に基づいて求められたものである。
【００２４】
【表３】
0004079481.tif 000004
【００２５】
表３から明らかなように、皮膚刺激性は、パルス脱分極型通電と直流型通電の組み合せの場合（実施例１）およびパルス脱分極型通電とパルス型通電の組み合せの場合（実施例２）には、パルス脱分極型通電のみの場合（比較例１）に比べ多少高いものの、直流型通電のみの場合（比較例２）と比較してかなり低減されている。
以上の試験結果が示すように、本発明の組み合せ通電を用いることにより、パルス脱分極型通電のみの場合と比べ、薬物透過性や皮膚刺激性の効果を同等またはある程度維持しつつ、消費電力を激減できるという当初予測もしなかった結果が得られたのである。
【００２６】
【発明の効果】
本発明によれば、薬物透過性、皮膚刺激性に優れ、かつ消費電力を低減することのできる経皮または経粘膜薬物送達用デバイスを得ることができる。
【図面の簡単な説明】
【図１】本発明の薬物送達用デバイスの構成を示す回路図である。
【図２】本発明の薬物送達用デバイスが皮膚または粘膜に密着した様子を示す図である。
【図３】血清中サーモンカルシトニン濃度の測定結果を示すグラフである。
【符号の説明】
１  通電パターン制御装置
２  マイクロコンピュータ
３  電源
４  出力制御回路
５  陽極側デバイス
６  陰極側デバイス
７  皮膚または粘膜
８  皮膚または粘膜
【図１】
0004079481.tif 000005
【図２】
0004079481.tif 000006
【図３】
0004079481.tif 000007